Podtech/llm-jp-corpus-v4-ja_patent huggingface dataset:
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
照明システム光を提供する照明システムであって、
青色スペクトル領域における光強度を有する光源光を提供する光源と、
前記光源光の少なくとも一部を、緑色スペクトル領域における光強度を有し、また、少なくとも９０ｎｍの全幅半値を有する第１の発光材料光に変換する第１の発光材料と、
（ｉ）前記光源光の少なくとも一部、又は、（ｉｉ）前記光源光の少なくとも一部及び前記第１の発光材料光の少なくとも一部を、６１０〜６８０ｎｍのスペクトル領域における光強度を有する第２の発光材料光に変換する第２の発光材料と、
を含み、
前記光源光の少なくとも一部、又は、（ｉｉ）前記光源光の少なくとも一部及び前記第１の発光材料光の少なくとも一部による励起下で、前記第２の発光材料は、ＲＴにおいて、４０ｎｍ以下の全幅半値を有する１つ以上の輝線を示し、前記照明システムは、前記照明システムの第１の設定において、ｘ＝０．３８±０．１及びｙ＝０．３±０．１の色点（ｘ；ｙ）を有する、前記光源光、前記第１の発光材料光及び前記第２の発光材料光を含む照明システム光を提供する、照明システムであって、
前記光源光の少なくとも一部による励起下の前記第１の発光材料、又は、（ｉｉ）前記光源光の少なくとも一部及び前記第１の発光材料光の少なくとも一部は、４８０〜５８０ｎｍの範囲内の前記第１の発光材料光の可視波長範囲における全出力の少なくとも６５％を有する、
照明システム。
【請求項２】
前記第１の発光材料は、Ｍ３Ａ５Ｏ１２：Ｃｅ３＋を含み、Ｍは、Ｓｃ、Ｙ、Ｔｂ、Ｇｄ及びＬｕからなる群から選択され、Ａは、Ａｌ、Ｇａ、Ｓｃ及びＩｎからなる群から選択される、請求項１に記載の照明システム。
【請求項３】
前記第１の発光材料は、Ｌｕ３Ａｌ５Ｏ１２：Ｃｅ３＋及びＹ３Ｇａ５Ｏ１２：Ｃｅ３＋の１つ以上を含む、請求項２に記載の照明システム。
【請求項４】
前記第１の発光材料光は、少なくとも１００ｎｍの全幅半値を有する、請求項２又は３に記載の照明システム。
【請求項５】
前記光源光の少なくとも一部、又は、（ｉｉ）前記光源光の少なくとも一部及び前記第１の発光材料光の少なくとも一部による励起下の前記第２の発光材料は、６２０〜６８０ｎｍの範囲内の前記第２の発光材料光の可視波長範囲における全出力の少なくとも４０％を有する、請求項１乃至４の何れか一項に記載の照明システム。
【請求項６】
前記第１の発光材料は、５４０〜５７５ｎｍの範囲内の主波長を有し、前記照明システムは、前記照明システムの前記第１の設定において、ｘ＝０．３８±０．０２及びｙ＝０．３±０．０２として、色点（ｘ；ｙ）を有する、前記光源光、前記第１の発光材料光及び前記第２の発光材料光を含む照明システム光を提供する、請求項１乃至５の何れか一項に記載の照明システム。
【請求項７】
前記第２の発光材料は、四価マンガンがドープされたＭ２ＡＸ６を含み、Ｍは、アルカリカチオンを含み、Ａは、四価カチオンを含み、Ｘは、少なくともフッ素を含む一価アニオンを含む、請求項１乃至６の何れか一項に記載の照明システム。
【請求項８】
Ｍは、Ｋ及びＲｂの少なくとも1つ以上を含み、Ａは、Ｓｉ及びＴｉの1つ以上を含み、Ｘ＝Ｆである、請求項７に記載の照明システム。
【請求項９】
複数の光源を含み、第1の光源が、前記第1の発光材料に放射結合され、第２の光源が、前記第２の発光材料に放射結合され、前記照明システムは、前記第1の光源及び前記第２の光源を制御する制御システムを更に含む、請求項１乃至８の何れか一項に記載の照明システム。
【請求項１０】
（ｉ）黄色光の緑色光に対する比率、及び、（ｉｉ）黄色光の赤色光に対する比率のうちの１つ以上を光学フィルタの光学軸に沿って下げる当該光学フィルタを、前記第１の発光材料及び前記第２の発光材料の下流に含まない、請求項１乃至９の何れか一項に記載の照明システム。
【請求項１１】
請求項１乃至１０の何れか一項に記載の照明システムを含む、ショーケース。
【請求項１２】
赤色を有する製品を照明するための請求項１乃至１０の何れか一項に記載の照明システムの使用。
【請求項１３】
食肉を照明するための請求項１２に記載の照明システムの使用。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
電気化学システムを監視する方法であって、
電気化学装置セットに適用する単一周波数を決定するステップと、
前記単一周波数における前記電気化学装置セットの仮想インピーダンスを電気化学インピーダンス分光法によって求めるステップと、
前記電気化学装置セットの仮想インピーダンスを第１のしきい値と比較するステップと、
前記仮想インピーダンスが前記第１のしきい値と交差するときに補正処置を開始するステップと、を含み、
前記電気化学装置セットのエネルギー利用率が、前記単一周波数における仮想インピーダンスに依存する方法。
【請求項２】
請求項１記載の方法において、
前記単一周波数において前記電気化学装置セットから引き出される電流を求めるステップと、
前記電気化学装置セットのエネルギー利用率を前記仮想インピーダンスおよび前記電流から求めるステップと、
をさらに含む方法。
【請求項３】
請求項２記載の方法において、
前記電気化学装置セットのエネルギー利用率を前記仮想インピーダンスおよび前記電流から求めるステップが、前記電気化学装置セットの仮想インピーダンスとエネルギー利用率との関係を求めることを含む方法。
【請求項４】
請求項３記載の方法において、
前記電気化学装置セットの仮想インピーダンスとエネルギー利用率との関係が、回帰モデリングによって求められる方法。
【請求項５】
請求項３記載の方法において、
前記電気化学装置セットの仮想インピーダンスとエネルギー利用率との関係が、参照表によって求められる方法。
【請求項６】
請求項２記載の方法において、
前記電気化学装置セットのエネルギー利用率を第２のしきい値と比較するステップと、
前記エネルギー利用率が第２のしきい値と交差するときに補正処置を開始するステップと、
をさらに含む方法。
【請求項７】
請求項１記載の方法において、
前記電気化学装置セットに適用する単一周波数を決定するステップが、
複数の既知のエネルギー利用率値に対してある範囲の周波数を前記電気化学装置セットに適用することと、
周波数範囲の各周波数において、前記電気化学装置セットの運転パラメータを変更することと、
運転パラメータを変更しながら、周波数範囲の各周波数において、複数の既知のエネルギー利用率値の各々に対して、前記電気化学装置セットの仮想インピーダンスを測定することと、
複数の既知のエネルギー利用率値が前記運転パラメータよりも仮想インピーダンスに依存する周波数範囲の周波数として前記単一周波数を決定することと、
前記単一周波数をメモリに保存することと、
を含む方法。
【請求項８】
請求項７記載の方法において、
前記電気化学装置セットが、燃料電池セットであって、前記運転パラメータが、温度と空気利用率の少なくとも一方を含む方法。
【請求項９】
請求項１記載の方法において、
電気化学装置セットが、電池、燃料電池モジュール、燃料電池カラムまたは燃料電池セグメントを含む方法。
【請求項１０】
請求項１記載の方法において、
前記単一周波数が、１ヘルツ〜２ヘルツである方法。
【請求項１１】
請求項１記載の方法において、
前記エネルギー利用率が、単一パスエネルギー利用率である方法。
【請求項１２】
請求項１記載の方法において、
前記補正処置が、
スタック回復シークエンスを開始すること、
前記電気化学装置セットからの出力電流を変えること、
前記電気化学システム中の部品を調節すること、および
操作者が処置を取るように警告を発することのうちの１つ以上を含む方法。
【請求項１３】
請求項１記載の方法において、
第１の周波数範囲にわたる前記電気化学装置セットの実際のインピーダンスを電気化学インピーダンス分光法によって求めるステップと、
前記電気化学装置セットの実際のインピーダンスを第３のしきい値と比較するステップと、
前記実際のインピーダンスが前記第３のしきい値と交差するときに補正処置を開始するステップと、
をさらに含む方法。
【請求項１４】
電気化学システムを監視する方法であって、
電気化学装置セットに適用する第１の周波数範囲を決定するステップと、
前記第１の周波数範囲にわたる前記電気化学装置セットの実際のインピーダンスを電気化学インピーダンス分光法によって求めるステップと、
前記電気化学装置セットの実際のインピーダンスを前記第１のしきい値と比較するステップと、
前記実際のインピーダンスが前記第１のしきい値と交差するときに補正処置を開始するステップと、を含み、
前記電気化学装置セットの実際のインピーダンス対前記第１の周波数範囲の周波数の傾きが、前記電気化学装置セットの実際のインピーダンス対前記第１の周波数範囲の外側の第２の周波数範囲の周波数の傾きと実質的に同じである方法。
【請求項１５】
電気化学システムを監視する方法であって、
電気化学装置セットのインピーダンスを電気化学インピーダンス分光法によって求めるステップと、
前記電気化学装置セットのオーム分極をインピーダンスから求めるステップと、
前記電気化学装置セットの濃度分極をインピーダンスから求めるステップと、
前記電気化学装置セットのオーム分極を第１のしきい値と比較するステップと、
前記電気化学装置セットの濃度分極を第２のしきい値と比較するステップと、
前記オーム分極が前記第１のしきい値と交差するかまたは前記濃度分極が前記第２のしきい値と交差するときに補正処置を開始するステップと、
を含む方法。
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
排気管と、
前記排気管の内部に配された無線通信用アンテナと、
を有する気体充填された電球。
【請求項２】
前記アンテナの外側部分は前記排気管の開放端から突出している、請求項１に記載の気体充填された電球。
【請求項３】
前記アンテナの外側部分は前記排気管に沿って直線状に延在していることを特徴とする、請求項２に記載の気体充填された電球。
【請求項４】
前記アンテナの外側部分は前記排気管の周りに巻かれている、請求項２又は３に記載の気体充填された電球。
【請求項５】
前記アンテナの前記外側部分を前記排気管から距離を置いて支持する支持構造を更に有する、請求項２乃至４の何れか一項に記載の気体充填された電球。
【請求項６】
前記排気管に取り付けられた管状光源キャリアを更に有する気体充填された電球であって、前記排気管は前記管状光源キャリア内部に部分的に配されている、請求項１乃至５の何れか一項に記載の気体充填された電球。
【請求項７】
前記排気管の開放端は、前記管状光源キャリアの内側に位置することを特徴とする請求項６に記載の気体充填された電球。
【請求項８】
前記排気管は、前記排気管の開放端が前記管状光源キャリアの外側に延在するように前記管状光源キャリアの全体にわたって延在する、請求項６に記載の気体充填された電球。
【請求項９】
前記管状光源キャリアは放射体として作用するように適合され、前記管状光源キャリアの電気的共振周波数は前記アンテナの受信周波数にほぼ等しい、請求項６乃至８の何れか一項に記載の気体充填された電球。
【請求項１０】
前記気体充填された電球をランプソケットに機械的及び電気的に接続するためのコネクタと、
１つ以上の固体光源を有する光源キャリアと、
光透過性のエンベロープと、前記エンベロープ内部に配された前記光源キャリア及び前記排気管と、
前記１つ以上の固体光源に電力を供給するドライバと、
前記アンテナに電気的に接続されると共に前記１つ以上の固体光源を制御する制御回路と、
を有する請求項１乃至９の何れか一項に記載の気体充填された電球。
【請求項１１】
前記制御回路は、前記エンベロープの内側に完全に配される、請求項１０に記載の気体充填された電球。
【請求項１２】
光散乱層及び波長変換層の少なくとも１つを更に有する、請求項１０又は１１に記載の気体充填された電球。
【請求項１３】
請求項１乃至１２の何れか一項に記載の気体充填された電球を製造する方法であって、前記気体充填された電球の排気管の内部にアンテナを配するステップを有する、方法。
【請求項１４】
アンテナと排気管との間に気密接続を形成するステップを更に有する、請求項１３に記載の方法。
【手続補正書】
【提出日】令和1年6月24日(2019.6.24)
【手続補正１】
【補正対象書類名】明細書
【補正対象項目名】００５３
【補正方法】変更
【補正の内容】
【００５３】
本明細書では、添付の図面を参照して例示的な実施形態について説明してきたが、本原理はそれらのまさにその通りの実施形態に限定されるわけではないことや、本原理の範囲から逸脱することなく、当業者によってその中で様々な変化及び変更をもたらすことができることを理解されたい。そのような変化及び変更はすべて、添付の請求項に記載されるように、本原理の範囲内に含まれることが意図される。
［付記１］
特定の触力覚チャネルに対する可変空間分解能を有する一連の頂点及び面を含む身体モデルに触力覚効果をマッピングすることと、
前記触力覚効果及び場所に対応する前記特定の触力覚チャネルに関連する特性に対応する前記面にメタデータを埋め込むことと、
タイムスタンプ及び面識別子を含む、前記特定の触力覚チャネルに関連する情報を連結することと、
触力覚信号にするために複数の触力覚チャネルに対する信号を多重化することと、
を含む、方法。
［付記２］
連結された前記情報が、正規化された活性化値をさらに含む、付記１に記載の方法。
［付記３］
前記触力覚信号を圧縮することをさらに含む、付記１に記載の方法。
［付記４］
前記触力覚信号を送信することをさらに含む、付記１に記載の方法。
［付記５］
マッピングすることが、
触力覚効果に対する基準の身体モデルを選択することと、
触力覚チャネルと関連付けられた前記身体モデルの面に触力覚効果を投影することと、
前記身体モデルの空間分解能に従って活性面を収集することと、
前記メタデータによって提供された時間周波数に適合するように前記触力覚効果に関連する情報をリサンプリングすることと、
前記メタデータによって提供された範囲に適合するように前記触力覚効果に関連する前記情報をスケーリングすることと、
を含む、付記１に記載の方法。
［付記６］
特定の触力覚チャネルに対する可変空間分解能を有する一連の頂点及び面を含む身体モデルに触力覚効果をマッピングする第１のプロセッサと、
前記触力覚効果及び場所に対応する前記特定の触力覚チャネルに関連する特性に対応する前記面にメタデータを埋め込む第２のプロセッサと、
タイムスタンプ及び面識別子を含む、前記特定の触力覚チャネルに関連する情報を連結する第３のプロセッサと、
触力覚信号を形成するために多数の触力覚チャネルに対する信号に基づいて動作するマルチプレクサと、
を含む、装置。
［付記７］
連結された前記情報が、正規化された活性化値をさらに含む、付記６に記載の装置。
［付記８］
前記触力覚信号に基づいて動作するデータコンプレッサをさらに含む、付記６に記載の装置。
［付記９］
前記触力覚信号に基づいて動作する送信機をさらに含む、付記６に記載の装置。
［付記１０］
前記第１のプロセッサが、
触力覚効果に対する基準の身体モデルを選択することと、
触力覚チャネルと関連付けられた前記身体モデルの面に触力覚効果を投影することと、
前記身体モデルの空間分解能に従って活性面を収集することと、
前記メタデータによって提供された時間周波数に適合するように前記触力覚効果に関連する情報をリサンプリングすることと、
前記メタデータによって提供された範囲に適合するように前記触力覚効果に関連する前記情報をスケーリングすることと、
を行う、付記６に記載の装置。
［付記１１］
特定の触力覚チャネルに対する可変空間分解能を有する一連の頂点及び面を含む身体モデルにマッピングされた触力覚効果と、
前記触力覚効果及び場所に対応する前記特定の触力覚チャネルに関連する特性に対応する前記面に埋め込まれたメタデータと、
タイムスタンプ及び面識別子を含む、前記特定の触力覚チャネルに関連する連結情報と、
触力覚信号を形成するために多重化された多数の触力覚チャネルに対する信号と、
を含む、符号化された映像信号データを有する非一時的なコンピュータ可読記憶媒体。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
仮想画像生成システムを動作させる方法であって、前記方法は、
前記エンドユーザの視野内の眼の焦点を推定することと、
３次元場面の複数の合成画像フレームをレンダリングすることと、
前記複数の画像フレームを前記エンドユーザに連続して表示することと、
前記推定される焦点に基づいて、前記表示される画像フレームの各々のための非均一分解能分布を生成することであって、前記非均一分解能分布は、最高分解能の領域およびより低い分解能の領域を有し、前記最高分解能の領域は、前記推定される焦点と一致し、前記エンドユーザの前記推定される焦点は、前記エンドユーザの視野内の焦点範囲を提供する許容誤差を有し、前記最高分解能の領域は、前記焦点範囲と交差する、ことと、
前記より低い分解能の領域内で前記表示される画像フレームをぼかすことと、
仮定された眼角速度プロファイルに基づいて前記許容誤差を動的に修正することと
を含む、方法。
【請求項２】
前記画像フレームの各々は、前記非均一分解能分布を伴ってレンダリングされる、請求項１に記載の方法。
【請求項３】
前記画像フレームの各々は、均一分解能分布を有するようにレンダリングされ、前記それぞれの画像フレームを表示することは、前記非均一分解能分布をすでにレンダリングされた画像フレームの中に組み込むことを含む、請求項１に記載の方法。
【請求項４】
前記最高分解能の領域およびより低い分解能の領域は、個別である、請求項１に記載の方法。
【請求項５】
複数の個別領域を有する視野テンプレートから前記最高分解能の領域を選択することをさらに含む、請求項４に記載の方法。
【請求項６】
前記視野テンプレート内の前記複数の個別領域は、互いに重複している、請求項５に記載の方法。
【請求項７】
前記画像フレームの各々は、スパイラルパターンで走査され、前記個別領域の各々は、扇形である、請求項５に記載の方法。
【請求項８】
前記表示される画像フレームの各々は、走査され、前記表示される画像フレームをぼかすことは、前記より低い分解能の領域内で隣接して表示される画像フレーム内の走査線をディザリングすることを含む、請求項１に記載の方法。
【請求項９】
前記表示される画像フレームをぼかすことは、前記より低い分解能の領域内で前記表示される画像フレームの焦点をぼかすことを含む、請求項１に記載の方法。
【請求項１０】
前記表示される画像フレームの各々は、走査され、前記より低い分解能の領域内で前記画像フレームをぼかすことは、前記より低い分解能の領域内の走査線間の比較的に大きな間隔に起因する視覚的アーチファクトを最小化にする、請求項１に記載の方法。
【請求項１１】
前記表示される画像フレームの各々の分解能分布は、前記エンドユーザの眼の視力分布の傾きに一致する傾きを有する、請求項１に記載の方法。
【請求項１２】
前記表示される画像フレームの各々の分解能分布は、前記エンドユーザの眼の視力分布の傾きより大きい傾きを有する、請求項１に記載の方法。
【請求項１３】
エンドユーザによる使用のための仮想画像生成システムであって、前記仮想画像生成システムは、
３次元場面を記憶しているメモリと、
制御サブシステムであって、前記制御サブシステムは、
前記３次元場面の複数の合成画像フレームをレンダリングすることと、
前記エンドユーザの視野内の眼の焦点を推定することと、
前記推定される焦点に基づいて、前記表示される画像フレームの各々のための非均一分解能分布を生成することであって、前記非均一分解能分布は、最高分解能の領域およびより低い分解能の領域を有し、前記最高分解能の領域は、前記推定される焦点と一致し、前記エンドユーザの前記推定される焦点は、前記エンドユーザの視野内の焦点範囲を提供する許容誤差を有し、前記最高分解能の領域は、前記焦点範囲と交差する、ことと、
前記より低い分解能の領域内で前記表示される画像フレームをぼかすことと、
仮定された眼角速度プロファイルに基づいて前記許容誤差を動的に修正することと
を行うために構成されている、制御サブシステムと、
前記複数の画像フレームを前記エンドユーザに連続して表示するために構成されているディスプレイサブシステムと
を備え、
前記表示される画像フレームの各々は、非均一分解能分布を有する、仮想画像生成システム。
【請求項１４】
前記ディスプレイサブシステムは、投影サブシステムと、部分的に透明なディスプレイ表面とを含み、前記投影サブシステムは、前記画像フレームを前記部分的に透明なディスプレイ表面上に投影するために構成され、前記部分的に透明なディスプレイ表面は、前記エンドユーザの眼と周囲環境との間で前記視野内に位置付けられるために構成されている、請求項１３に記載の仮想画像生成システム。
【請求項１５】
前記制御サブシステムは、前記画像フレームの各々を前記非均一分解能分布を伴ってレンダリングするために構成されている、請求項１３に記載の仮想画像生成システム。
【請求項１６】
前記制御サブシステムは、前記画像フレームの各々を均一分解能分布を伴ってレンダリングするために構成され、前記ディスプレイサブシステムは、前記すでにレンダリングされた画像フレームの中に前記非均一分解能分布を組み込むことによって、前記それぞれの画像フレームを表示するために構成されている、請求項１３記載の仮想画像生成システム。
【請求項１７】
前記最高分解能の領域およびより低い分解能の領域は、個別である、請求項１３に記載の仮想画像生成システム。
【請求項１８】
前記制御サブシステムは、複数の個別領域を有する視野テンプレートから前記最高分解能の領域を選択するために構成されている、請求項１７に記載の仮想画像生成システム。
【請求項１９】
前記エンドユーザの前記焦点を検出するために構成されている１つ以上のセンサをさらに備え、前記制御サブシステムは、前記検出された焦点から前記焦点を推定するために構成されている、請求項１３に記載の仮想画像生成システム。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
オブジェクト検出の方法であって、
画像全体のコンテキストに対応するコンテキストラベルを、深層ニューラルネットワーク（ＤＮＮ）を通して識別することと、
前記識別されたコンテキストラベルに関連付けられたコンテキストベースの事前分布に少なくとも部分的に基づいて、前記画像中の関心オブジェクトを検出するための確からしい領域のセットを選択することと
を備える、方法。
【請求項２】
前記確からしい領域のセットを正確にするように前記ＤＮＮを訓練することをさらに備える、請求項１に記載の方法。
【請求項３】
ユーザ入力に少なくとも部分的に基づいて前記コンテキストラベルを作成することをさらに備える、請求項１に記載の方法。
【請求項４】
教師なし学習に少なくとも部分的に基づいて前記コンテキストラベルを作成することをさらに備える、請求項１に記載の方法。
【請求項５】
前記コンテキストラベルに少なくとも部分的に基づいて特定のロケーションに集中させることによって前記確からしい領域のセットを生成することをさらに備える、請求項１に記載の方法。
【請求項６】
追加のコンテキストラベルを識別することと、
前記追加の識別されたコンテキストラベルに少なくとも部分的に基づいて、前記画像中の関心オブジェクトを検出する確からしい領域の追加のセットを選択することと
をさらに備える、請求項１に記載の方法。
【請求項７】
関心オブジェクトが存在するかどうかを前記確からしい領域の各々に関して決定するように前記ＤＮＮを訓練することをさらに備える、請求項１に記載の方法。
【請求項８】
前記コンテキストラベルにしたがって前記確からしい領域の各々を分類するように前記ＤＮＮを訓練することをさらに備える、請求項１に記載の方法。
【請求項９】
オブジェクト検出のための装置であって、
メモリと、
前記メモリに結合された少なくとも１つのプロセッサと
を備え、前記少なくとも１つのプロセッサは、
画像全体のコンテキストに対応するコンテキストラベルを、深層ニューラルネットワーク（ＤＮＮ）を通して、識別することと、
前記識別されたコンテキストラベルに関連付けられたコンテキストベースの事前分布に少なくとも部分的に基づいて、前記画像中の関心オブジェクトを検出するための確からしい領域のセットを選択することと
を行うように構成される、装置。
【請求項１０】
前記少なくとも１つのプロセッサは、前記確からしい領域のセットを正確にするように前記ＤＮＮを訓練するようにさらに構成される、請求項９に記載の装置。
【請求項１１】
前記少なくとも１つのプロセッサは、ユーザ入力に少なくとも部分的に基づいて前記コンテキストラベルを作成するようにさらに構成される、請求項９に記載の装置。
【請求項１２】
前記少なくとも１つのプロセッサは、教師なし学習に少なくとも部分的に基づいて前記コンテキストラベルを作成するようにさらに構成される、請求項９に記載の装置。
【請求項１３】
ｉ）前記少なくとも１つのプロセッサは、前記コンテキストラベルに少なくとも部分的に基づいて前記確からしい領域のセットを生成するようにさらに構成される、
ｉｉ）前記少なくとも１つのプロセッサは、
別のコンテキストラベルを識別することと、
前記別の識別されたコンテキストラベルに少なくとも部分的に基づいて前記画像中の関心オブジェクトを検出する確からしい領域の別のセットを選択することと
をさらに行うように構成される、
ｉｉｉ）前記少なくとも１つのプロセッサは、関心オブジェクトが存在するかどうかを前記確からしい領域の各々に関して決定するように前記ＤＮＮを訓練するようにさらに構成される、または、
ｉｖ）前記少なくとも１つのプロセッサは、前記コンテキストラベルにしたがって前記確からしい領域の各々を分類するように前記ＤＮＮを訓練するようにさらに構成される、
のうちの１つを備える、請求項９に記載の装置。
【請求項１４】
非一時的なプログラムコードを記録した、オブジェクト検出のための非一時的なコンピュータ可読媒体であって、前記プログラムコードは、
画像全体のコンテキストに対応するコンテキストラベルを、深層ニューラルネットワーク（ＤＮＮ）を通して識別するためのプログラムコードと、
前記識別されたコンテキストラベルに関連付けられたコンテキストベースの事前分布に少なくとも部分的に基づいて、前記画像中の関心オブジェクトを検出するための確からしい領域のセットを選択するためのプログラムコードと
を備える、非一時的なコンピュータ可読媒体。
【請求項１５】
ワイヤレス通信のための装置であって、
画像全体のコンテキストに対応するコンテキストラベルを、深層ニューラルネットワーク（ＤＮＮ）を通して識別するための手段と、
前記識別されたコンテキストラベルに関連付けられたコンテキストベースの事前分布に少なくとも部分的に基づいて、前記画像中の関心オブジェクトを検出するための確からしい領域のセットを選択するための手段と
を備える、装置。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
画像を分類する方法であって、
前記画像にコンピュータビジョン手順を適用して前記画像内で目標物を検出し、前記コンピュータビジョン手順を使用して前記画像にコンピュータ検出スコアを割り当てるステップと、
前記画像を視覚刺激として観察者に提示する一方、前記観察者の脳から神経生理学的信号を収集するステップと、
前記神経生理学的信号を処理して、前記観察者による前記目標物の検出を示す神経生理学的事象を識別し、前記識別に基づいて前記画像に神経生理学的検出スコアを割り当てるステップと、
前記コンピュータ検出スコアおよび前記神経生理学的検出スコアに基づいて前記画像内の前記目標物の存在を判定するステップと、
前記コンピュータ検出スコアと前記神経生理学的検出スコアとが一致しないか否かを判定するステップと、
前記コンピュータ検出スコアと前記神経生理学的検出スコアとが一致しないと判定された場合、前記画像を前記観察者に再提示するステップと、
を含む、
画像を分類する方法。
【請求項２】
前記コンピュータ検出スコアを前記神経生理学的検出スコアと比較するステップと、
前記比較に基づいて前記観察者に前記画像を再提示するステップと、
をさらに含む、
請求項１に記載の画像を分類する方法。
【請求項３】
前記神経生理学的信号を処理して瞬目を識別するステップと、
前記画像を前に提示している間に瞬目が識別されたことに応じて、前記画像を前記観察者に再提示するステップと、
をさらに含む、
請求項１または２に記載の画像を分類する方法。
【請求項４】
前記提示および前記神経生理学的事象の前記識別を繰り返すステップと、
前記画像の前記識別を前の識別と比較するステップと、
前記比較に基づいて前記観察者の神経生理学的状態を判定するステップと、
をさらに含む、
請求項１〜３のいずれか一項に記載の画像を分類する方法。
【請求項５】
前記神経生理学的信号がＥＥＧ信号を含み、
速波ＥＥＧに対する遅波ＥＥＧの比率を計算するステップと、
前記比率に基づいて前記観察者の神経生理学的状態を判定するステップと、
を含む、
請求項１〜４のいずれか一項に記載の画像を分類する方法。
【請求項６】
前記目標物を含むデータベース画像を前記観察者に提示するステップと、
前記神経生理学的信号を処理して、前記観察者による前記データベース画像内の前記目標物の検出を示す神経生理学的事象を識別するステップと、
前記識別に基づいて前記観察者の神経生理学的状態を判定するステップと、
をさらに含む、
請求項１〜５のいずれか一項に記載の画像を分類する方法。
【請求項７】
前記神経生理学的信号を処理して筋緊張を識別するステップと、
前記画像を前に提示している間に前記筋緊張が識別されたことに応じて、前記画像を前記観察者に再提示するステップと、
をさらに含む、
請求項１〜６のいずれか一項に記載の画像を分類する方法。
【請求項８】
前記神経生理学的信号を処理して瞬目を識別するステップと、
前記瞬目の時間的パターンを評価するステップと、
前記時間的パターンに基づいて前記観察者の神経生理学的状態を判定するステップと、
をさらに含む、
請求項１〜７のいずれか一項に記載の画像を分類する方法。
【請求項９】
前記コンピュータビジョン手順が、クラスタリングを採用する、
請求項１〜８のいずれか一項に記載の画像を分類する方法。
【請求項１０】
前記コンピュータビジョン手順が、ニューラルネットワークを採用する、
請求項１〜９のいずれか一項に記載の画像を分類する方法。
【請求項１１】
少なくとも１５０Ｈｚのサンプリングレートで前記神経生理学的信号を収集する、
請求項１〜１０のいずれか一項に記載の画像を分類する方法。
【請求項１２】
収集された前記神経生理学的信号に低域通過フィルタを適用するステップをさらに含む、
請求項１〜１１のいずれか一項に記載の画像を分類する方法。
【請求項１３】
前記神経生理学的信号に対して、空間的に重み付けされたフィッシャー線形判別（ＳＷＦＬＤ）分類器を適用し、前記神経生理学的信号を処理する、
請求項１〜１２のいずれか一項に記載の画像を分類する方法。
【請求項１４】
前記神経生理学的信号に対して、畳み込みニューラルネットワーク（ＣＮＮ）分類器を適用し、前記神経生理学的信号を処理する、
請求項１〜１３のいずれか一項に記載の画像を分類する方法。
【請求項１５】
前記神経生理学的信号を処理する前記ステップが、
空間的に重み付けされたフィッシャー線形判別（ＳＷＦＬＤ）分類器を適用するステップと、
前記ＳＷＦＬＤ分類器に基づいてＳＷＦＬＤ分類スコアを計算するステップと、
前記神経生理学的信号に対して、畳み込みニューラルネットワーク（ＣＮＮ）分類器を適用するステップと、
前記ＣＮＮ分類器に基づいてＣＮＮ分類スコアを計算するステップと、
前記ＳＷＦＬＤ分類スコアと前記ＣＮＮ分類スコアを組み合わせるステップと、
を含む、
請求項１〜１２のいずれか一項に記載の画像を分類する方法。
【請求項１６】
前記ＣＮＮは、
前記神経生理学的信号を特徴付ける複数の時間点それぞれに対して空間フィルタリングを適用する第１の畳み込み層と、
前記第１の畳み込み層によって提供される出力に時間フィルタリングを適用する第２の畳み込み層と、
前記第２の畳み込み層によって提供される出力に時間フィルタリングを適用する第３の畳み込み層と、
を備える、
請求項１４または１５に記載の画像を分類する方法。
【請求項１７】
前記観察者に対して、前記神経生理学的事象の前記識別に関するフィードバックを提示するステップをさらに含む、
請求項１〜１６のいずれか一項に記載の画像を分類する方法。
【請求項１８】
前記フィードバックが２値である、
請求項１７に記載の画像を分類する方法。
【請求項１９】
前記フィードバックが非２値である、
請求項１７に記載の画像を分類する方法。
【請求項２０】
仮想現実システムにおいて使用される、
請求項１〜１９のいずれか一項に記載の画像を分類する方法。
【請求項２１】
拡張現実システムにおいて使用される、
請求項１〜２０のいずれか一項に記載の画像を分類する方法。
【請求項２２】
前記目標物の存在の判定結果に応じて、前記仮想現実システムまたは前記拡張現実システムによって提供される視野を変化させるステップをさらに含む、
請求項２０または２１に記載の画像を分類する方法。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
アクリルポリマー構成成分と、
１００〜４２０μｍに含まれる第１の平均アグロメレート径ｄ５０を有する、第１の種類の六方晶窒化ホウ素一次粒子アグロメレート、
３〜２５μｍに含まれる平均一次粒子径ｄ５０を有する、任意に含まれる、六方晶窒化ホウ素一次粒子、
前記第１の平均アグロメレート径ｄ５０よりも小さい第２の平均アグロメレート径ｄ５０を有する、任意に含まれる、第２の種類の六方晶窒化ホウ素一次粒子アグロメレート、
前記第１の平均アグロメレート径ｄ５０よりも小さく、第２の平均アグロメレート径ｄ５０とは異なる、第３の平均アグロメレート径ｄ５０を有する、任意に含まれる、第３の種類の六方晶窒化ホウ素一次粒子アグロメレート
を含む窒化ホウ素混合組成物と、を含む熱伝導性感圧接着剤組成物であって、
前記六方晶窒化ホウ素一次粒子は、小板形状を有し、実験の項に記載の試験方法に従って測定するとき、前記第１の種類のアグロメレート、並びに任意に含まれる前記第２の種類のアグロメレート及び前記第３の種類のアグロメレートのエンベロープ密度は、０．３〜２．２ｇ／ｃｍ３に含まれ、前記窒化ホウ素混合組成物の含有量は、前記熱伝導性感圧接着剤組成物の体積を基準として、１５体積％超である、熱伝導性感圧接着剤組成物。
【請求項２】
前記熱伝導性感圧接着剤組成物の体積を基準として、１８体積％超、２０体積％超、２２体積％超、又は２４体積％超の量の窒化ホウ素混合組成物を含む、請求項１に記載の熱伝導性感圧接着剤組成物。
【請求項３】
実験の項に記載の試験方法に従って測定するとき、前記第１の種類のアグロメレート、並びに任意に含まれる前記第２の種類のアグロメレート及び前記第３の種類のアグロメレートのエンベロープ密度が、独立して、０．３〜２．０ｇ／ｃｍ３、０．３〜１．７ｇ／ｃｍ３、又は０．４〜１．５ｇ／ｃｍ３に含まれる、請求項１又は２に記載の熱伝導性感圧接着剤組成物。
【請求項４】
実験の項に記載の試験方法に従って測定するとき、前記第１の種類のアグロメレートのエンベロープ密度が、０．５〜２．２ｇ／ｃｍ３、０．８〜２．２ｇ／ｃｍ３、１．０〜２．０ｇ／ｃｍ３、１．４〜２．０ｇ／ｃｍ３、１．６〜２．０ｇ／ｃｍ３、０．３〜１．７ｇ／ｃｍ３、０．４〜１．５ｇ／ｃｍ３、０．５〜１．５ｇ／ｃｍ３、０．５〜１．２ｇ／ｃｍ３、又は０．５〜１．０ｇ／ｃｍ３に含まれる、請求項１〜３のいずれか一項に記載の熱伝導性感圧接着剤組成物。
【請求項５】
１００〜４２０μｍ、１１０〜４００μｍ、３１０〜４１０μｍ、２００〜２９０μｍ、又は１００〜１７０μｍに含まれる第１の平均アグロメレート径ｄ５０を有し、
３〜２５μｍ、５〜２５μｍ、１０〜２０μｍ、１０〜１８μｍ、１２〜１８μｍ、又は１３〜１６μｍに含まれる一次粒子径ｄ５０を有する六方晶窒化ホウ素一次粒子、又は、
前記第１の平均アグロメレート径ｄ５０よりも小さい第２の平均アグロメレート径ｄ５０を有する、第２の種類の六方晶窒化ホウ素一次粒子アグロメレート
のいずれかと組み合わされる、第１の種類の六方晶窒化ホウ素一次粒子アグロメレートと、
前記第１の平均アグロメレート径ｄ５０よりも小さく、第２の平均アグロメレート径ｄ５０とは異なる、第３の平均アグロメレート径ｄ５０を有する、任意に含まれる、第３の種類の六方晶窒化ホウ素一次粒子アグロメレートと、
を含む窒化ホウ素混合組成物を含む、請求項１〜４のいずれか一項に記載の熱伝導性感圧接着剤組成物。
【請求項６】
１００〜４２０μｍ、１１０〜４００μｍ、３１０〜４１０μｍ、２００〜２９０μｍ、又は１００〜１７０μｍに含まれる第１の平均アグロメレート径ｄ５０を有する第１の種類の六方晶窒化ホウ素一次粒子アグロメレートと、
３〜２５μｍ、５〜２５μｍ、１０〜２０μｍ、１０〜１８μｍ、１２〜１８μｍ、又は１３〜１６μｍに含まれる一次粒子径ｄ５０を有する六方晶窒化ホウ素一次粒子と
を含む窒化ホウ素混合組成物を含む、請求項１〜５のいずれか一項に記載の熱伝導性感圧接着剤組成物。
【請求項７】
前記第１の平均アグロメレート径ｄ５０が、１００〜３５０μｍ、１００〜３００μｍ、１００〜２５０μｍ、１００〜２００μｍ、１００〜１８０μｍ、１００〜１７０μｍ、１１０〜１６０μｍ、１１０〜１５０μｍ、又は１２０〜１５０μｍに含まれる、請求項１〜６のいずれか一項に記載の熱伝導性感圧接着剤組成物。
【請求項８】
前記第１の種類のアグロメレート、並びに任意に含まれる前記第２の種類のアグロメレート及び前記第３の種類のアグロメレートが、等方性アグロメレートである、請求項１〜７のいずれか一項に記載の熱伝導性感圧接着剤組成物。
【請求項９】
前記第１の種類のアグロメレート、並びに任意に含まれる前記第２の種類のアグロメレート及び／若しくは前記第３の種類のアグロメレート、並びに／又は３〜２５μｍに含まれる平均一次粒子径ｄ５０を有する前記六方晶窒化ホウ素一次粒子が、同一の窒化ホウ素粒子供給源からは得られず、特に同一の窒化ホウ素粒子供給源をｉｎ−ｓｉｔｕで微粉化することによっては得られない、請求項１〜８のいずれか一項に記載の熱伝導性感圧接着剤組成物。
【請求項１０】
熱伝導性感圧接着剤の製造方法であって、
（メタ）アクリレートエステルモノマーと、任意に含まれる、エチレン性不飽和基を有するコモノマーと、を含む（共）重合性材料を準備する工程、
（メタ）アクリレートエステルモノマーを含む前記（共）重合性材料を重合させ、コーティング可能な粘度を有する（共）重合材料を形成する工程、
１００〜４２０μｍに含まれる第１の平均アグロメレート径ｄ５０を有する、第１の種類の六方晶窒化ホウ素一次粒子アグロメレート、
３〜２５μｍに含まれる平均一次粒子径ｄ５０を有する、任意に含まれる、六方晶窒化ホウ素一次粒子、
前記第１の平均アグロメレート径ｄ５０よりも小さい第２の平均アグロメレート径ｄ５０を有する、任意に含まれる、第２の種類の六方晶窒化ホウ素一次粒子アグロメレート、
前記第１の平均アグロメレート径ｄ５０よりも小さく、第２の平均アグロメレート径ｄ５０とは異なる、第３の平均アグロメレート径ｄ５０を有する、任意に含まれる、第３の種類の六方晶窒化ホウ素一次粒子アグロメレート
を含む窒化ホウ素混合組成物（ここで、前記六方晶窒化ホウ素一次粒子は、小板形状を有し、実験の項に記載の試験方法に従って測定するとき、前記第１の種類のアグロメレート、並びに任意に含まれる前記第２の種類のアグロメレート及び前記第３の種類のアグロメレートのエンベロープ密度は、０．３〜２．２ｇ／ｃｍ３に含まれ、前記窒化ホウ素混合組成物の含有量は、前記熱伝導性感圧接着剤組成物の体積を基準として、１５体積％超である）を準備する工程、
前記窒化ホウ素混合組成物及び前記（共）重合材料をブレンドし、均質なコーティング可能組成物を形成する工程、
前記コーティング可能組成物を基材上にコーティングし、熱伝導性感圧接着剤層を形成する工程、並びに
任意に含まれる、前記熱伝導性感圧接着剤層を硬化させる工程
を含む、熱伝導性感圧接着剤の製造方法。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
以下の構成成分［Ａ］、［Ｂ］、［Ｃ］、及び［Ｄ］：
［Ａ］式（Ｉ）で表される脂環式エポキシ樹脂以外の少なくとも１つのエポキシ樹脂；
［Ｂ］少なくとも１つのアミン硬化剤；
［Ｃ］少なくとも１つの潜在酸触媒；及び
［Ｄ］式（Ｉ）で表され、式中、Ｙは、単結合である少なくとも１つの脂環式エポキシ樹脂
【化１】
2018526466.tif 000001
を含む、繊維強化複合材料のためのエポキシ樹脂組成物。
【請求項２】
［Ｃ］が、少なくとも１つのオニウム塩触媒を含む、請求項１に記載のエポキシ樹脂組成物。
【請求項３】
［Ｃ］が、式（ＩＩ）で表される少なくとも１つのオニウム塩触媒を含み：
【化２】
2018526466.tif 000002
式中、Ｒ１は、水素原子、ヒドロキシル基、アルコキシル基、又は式（ＩＩＩ）で表される基を表し：
【化３】
2018526466.tif 000003
式中、Ｙ’は、すべてが１つ以上の置換基を有していてもよいアルキル基、アルコキシル基、フェニル基、又はフェノキシ基を表し、Ｒ２及びＲ３の各々は、独立して、水素原子、ハロゲン原子、又はアルキル基を表し、Ｒ４及びＲ５の各々は、独立して、各々が１つ以上の置換基を有していてもよいアルキル基、アラルキル基、又はアリール基を表し、Ｘ−は、ＳｂＦ６−、ＰＦ６−、ＡｓＦ６−、又はＢＦ４−を表す、
請求項１に記載のエポキシ樹脂組成物。
【請求項４】
［Ａ］が、２つ以上のエポキシ官能基を有する少なくとも１つの芳香族エポキシ樹脂を含む、請求項１に記載のエポキシ樹脂組成物。
【請求項５】
［Ａ］が、１つ以上のナフタレン部分を含有する少なくとも１つのエポキシ樹脂を含む、請求項１に記載のエポキシ樹脂組成物。
【請求項６】
［Ａ］の量が、前記エポキシ樹脂組成物中のエポキシ樹脂の総量に対して４０から８０重量パーセントである、請求項５に記載のエポキシ樹脂組成物。
【請求項７】
［Ａ］が、トリス（ｐ−ヒドロキシフェニル）メタンのトリグリシジルエーテル、Ｎ，Ｎ，Ｎ’，Ｎ’−テトラグリシジル−４，４’−ジアミノジフェニルメタン、トリグリシジル−ｍ−アミノフェノール、１，６−ジヒドロキシナフタレンのジグリシジルエーテル、及び１，６−ビス（２−ナフチル）メタンのテトラグリシジルエーテルから成る群より選択される少なくとも１つのエポキシ樹脂を含む、請求項１に記載のエポキシ樹脂組成物。
【請求項８】
前記エポキシ樹脂組成物が、６５℃で２時間の後、２００％未満の粘度増加を示す、請求項１に記載のエポキシ樹脂組成物。
【請求項９】
Ｔ１が、［Ａ］及び［Ｂ］の混合物に対して測定されたＤＳＣ曲線における主反応ピークに対応する温度であり、Ｔ２が、［Ｃ］及び［Ｄ］の混合物に対して測定されたＤＳＣ曲線における主反応ピークに対応する温度である場合に、Ｔ１及びＴ２の間の温度差が、４０から１７０℃である、請求項１に記載のエポキシ樹脂組成物。
【請求項１０】
Ｔ１及びＴ２の間の前記温度差が、７０から１２０℃である、請求項９に記載のエポキシ樹脂組成物。
【請求項１１】
前記エポキシ樹脂組成物が、１０℃／分の昇温速度下でのＤＳＣ曲線において、実質的に単一である反応ピークを有する、請求項８又は９のいずれか一項に記載のエポキシ樹脂組成物。
【請求項１２】
少なくとも１つの熱可塑性樹脂をさらに含む、請求項１に記載のエポキシ樹脂組成物。
【請求項１３】
少なくとも１つのポリエーテルスルホンをさらに含む、請求項１に記載のエポキシ樹脂組成物。
【請求項１４】
［Ｂ］が、少なくとも１つの芳香族ポリアミンを含む、請求項１に記載のエポキシ樹脂組成物。
【請求項１５】
［Ｂ］が、少なくとも１つのジアミノジフェニルスルホンを含む、請求項１に記載のエポキシ樹脂組成物。
【請求項１６】
［Ｄ］が、ビス（３，４−エポキシシクロヘキシル）を含む、請求項１に記載のエポキシ樹脂組成物。
【請求項１７】
［Ａ］が、トリス（ｐ−ヒドロキシフェニル）メタンのトリグリシジルエーテル、Ｎ，Ｎ，Ｎ’，Ｎ’−テトラグリシジル−４，４’−ジアミノジフェニルメタン、トリグリシジル−ｍ−アミノフェノール、１，６−ジヒドロキシナフタレンのジグリシジルエーテル、及び１，６−ビス（２−ナフチル）メタンのテトラグリシジルエーテルから成る群より選択される少なくとも１つのエポキシ樹脂を含み；
［Ｂ］が、少なくとも１つの芳香族ポリアミンを含み；
［Ｃ］が、少なくとも１つのオニウム塩触媒を含み；
［Ｄ］が、式（Ｉ）で表され、式中、Ｙが単結合である少なくとも１つの脂環式エポキシ樹脂
【化４】
2018526466.tif 000004
を含み；
及び、前記エポキシ樹脂組成物が、さらに、少なくとも１つの熱可塑性樹脂を含む、請求項１に記載のエポキシ樹脂組成物。
【請求項１８】
［Ａ］が、１つ以上のナフタレン部分を含有する少なくとも１つのエポキシ樹脂を含み；
［Ｂ］が、少なくとも１つのジアミノジフェニルスルホンを含み；
［Ｃ］が、式（ＩＩ）で表される少なくとも１つのオニウム塩触媒を含み：
【化５】
2018526466.tif 000005
式中、Ｒ１は、水素原子、ヒドロキシル基、アルコキシル基、又は式（ＩＩＩ）で表される基を表し：
【化６】
2018526466.tif 000006
式中、Ｙ’は、すべてが１つ以上の置換基を有していてもよいアルキル基、アルコキシル基、フェニル基、又はフェノキシ基を表し、Ｒ２及びＲ３の各々は、独立して、水素原子、ハロゲン原子、又はアルキル基を表し、Ｒ４及びＲ５の各々は、独立して、各々が１つ以上の置換基を有していてもよいアルキル基、アラルキル基、又はアリール基を表し、Ｘ−は、ＳｂＦ６−、ＰＦ６−、ＡｓＦ６−、又はＢＦ４−を表し；
［Ｄ］が、式（Ｉ）で表され、式中、Ｙが単結合である少なくとも１つの脂環式エポキシ樹脂
【化７】
2018526466.tif 000007
を含み；
並びに、前記エポキシ樹脂組成物が、さらに、少なくとも１つポリエーテルスルホンを含む、請求項１に記載のエポキシ樹脂組成物。
【請求項１９】
請求項１から１８のいずれか一項に記載のエポキシ樹脂組成物で含浸された炭素繊維を含むプリプレグ。
【請求項２０】
請求項１９に記載のプリプレグを硬化することによって得られる炭素繊維強化複合材料。
【請求項２１】
請求項１から１８のいずれか一項に記載のエポキシ樹脂組成物及び炭素繊維を含む混合物を硬化することによって得られる樹脂硬化物を含む炭素繊維強化複合材料。
【請求項２２】
１８０℃、Ｈ／Ｗで試験されたＯＨＣ強度が、１２５ＭＰａよりも大きい、請求項２１に記載の炭素繊維強化複合材料。
【手続補正２】
【補正対象書類名】明細書
【補正対象項目名】００６７
【補正方法】変更
【補正の内容】
【００６７】
本発明において、構成成分［Ｄ］は、式（Ｉ）で表される脂環式エポキシ樹脂であり、式中、Ｙは、単結合である。
【手続補正３】
【補正対象書類名】明細書
【補正対象項目名】００７０
【補正方法】変更
【補正の内容】
【００７０】
本発明の目的のための適切な脂環式エポキシ樹脂は、式（Ｉ）で表されてよく、式中、Ｙは、単結合である。
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
経口摂取に適した粒子状組成物であって：
（a）任意の封入剤、コーティングまたは基質を含む平均粒径が５００μｍ未満の苦味物質および（b）１００μｍから５００μｍの平均粒径を有する糖粒子である第１の粒子状物質を含む、易流動性粒子相である担体相；および
第２の粒子状物質を含む易流動性粒子相であって、前記第２の粒子状物質が少なくとも８００μｍの平均粒径を有する糖を含む粒子であり、且つ前記第２の粒子状物質がチューインガム以外である滞留相；を含み、
且つ、前記滞留相の粒子が前記担体相に対して自由に動くことができ、前記第２の粒子状物質の粒径は前記第１の粒子状物質の粒径よりも大きい、前記粒子状組成物。
【請求項２】
請求項１に記載の粒子状組成物であって、前記滞留相の口腔内残存時間（Ｒ９０：ｒｅｔａｉｎｅｄ）が少なくとも１０秒、好ましくは少なくとも３０秒である、前記粒子状組成物。
【請求項３】
前述の請求項のうちいずれか１つに記載の粒子状組成物であって、前記第２の粒子状物質が少なくとも１５秒の水溶解速度を有し、前記溶解速度が、材料１ｇを３７℃の攪拌された水１０ｍＬに添加した後材料の質量の５０％を溶解するのに要する時間として判定され、好ましくは前記第２の粒子状物質が３００秒以下の水溶解速度を有する、前記粒子状組成物。  
【請求項４】
前述の請求項のうちいずれか１つに記載の粒子状組成物であって、前記滞留相が第２の粒子状物質でありかつ前記第２の粒子状物質が糖、圧縮粉末菓子、ハードキャンディおよびポッピングキャンディの粒子から選択され、前記の糖、圧縮粉末菓子、ハードキャンディおよびポッピングキャンディの粒子が任意に１つまたはそれ以上の着香料および／または着色料、並びに少なくとも９０ｗｔ％の糖を含む、前記粒子状組成物。
【請求項５】
前述の請求項のうちいずれか１つに記載の粒子状組成物であって、前記第２の粒子状物質が少なくとも９０ｗｔ％の糖を含む、前記粒子状組成物。
【請求項６】
前述の請求項のうちいずれか１つに記載の粒子状組成物であって前記第２の粒子状物質がポッピングキャンディの粒子を含む、前記粒子状組成物。
【請求項７】
請求項６に記載の粒子状組成物であって、前記ポッピングキャンディの粒子が少なくとも１つの糖およびハードキャンディのコーティングを有する、前記粒子状組成物。
【請求項８】
前述の請求項のうちいずれか１つに記載の粒子状組成物であって、前記第２の粒子状物質が添加された着香料を含み、好ましくは前記第２の粒子状物質が香味付けされたポッピングキャンディである、前記粒子状組成物。
【請求項９】
前述の請求項のうちいずれか１つに記載の粒子状組成物であって、前記苦味物質がカフェインを含む、前記粒子状組成物。
【請求項１０】
前述の請求項のうちいずれか１つに記載の粒子状組成物であって、前記苦味物質が医薬品を含む、前記粒子状組成物。
【請求項１１】
前述の請求項のうちいずれか１つに記載の粒子状組成物であって、前記苦味物質が（ａ）アスピリン、パラセタモール、イブプロフェン、ココダモールおよびコデイン、または医薬品として許容されるその塩から選択される１つまたはそれ以上の医薬品であって、それぞれが任意にカフェインおよび／またはフェニレフリンまたは医薬品として許容されるその塩と組み合わせて存在しうる前記医薬品；（ｂ）１つまたはそれ以上の抗ヒスタミン剤；および（ｃ）メチルフェニデート、アンフェタミン、デキストロアンフェタミン、アンフェタミン／デキストロアンフェタミン、デクスメチルフェニデート、リスデキサンフェタミン、アミトリプチリン、デシプラミン、イミプラミン、ノルトリプチリン、ブプロピオン、シタロプラム、エシタロプラム、セルトラリンおよびベンラファキシンまたは医薬品として許容されるその塩から選択される１つまたはそれ以上の医薬品のうち少なくとも１つを含む、前記粒子状組成物。
【請求項１２】
前述の請求項のうちいずれか１つに記載の粒子状組成物であって、前記苦味物質が封入される、前記粒子状組成物。
【請求項１３】
前述の請求項のうちいずれか１つに記載の粒子状組成物であって、前記苦味物質が封入カフェインであり、かつ前記封入カフェイン粒子がカフェインおよび脂質または多糖コーティングを含む、前記粒子状組成物。
【請求項１４】
請求項１３に記載の粒子状組成物であって、前記カフェインが前記封入カフェイン粒子の質量の４０から６０％、および好ましくは質量の４５から５５％を提供する、前記粒子状組成物。
【請求項１５】
前述の請求項のうちいずれか１つに記載の粒子状組成物であって、前記第１の粒子状物質が１５０μｍから４５０μｍの範囲内の平均粒径を有する、前記粒子状組成物。
【請求項１６】
前述の請求項のうちいずれか１つに記載の粒子状組成物であって、前記第２の粒子状物質が少なくとも９０ｗｔ％の糖を含み、８００μｍから１５００μｍの範囲内の平均粒径を有する、前記粒子状組成物。
【請求項１７】
前述の請求項のうちいずれか１つに記載の粒子状組成物であって、任意の封入剤、コーティングまたは基質を含む前記苦味物質の平均粒径が２００μｍ未満である、前記粒子状組成物。
【請求項１８】
請求項１７に記載の粒子状組成物であって、前記第１の粒子状物質の糖粒子の封入カフェイン粒子に対する重量比が１：１から３：１、好ましくは１５：４である、前記粒子状組成物。
【請求項１９】
請求項１７又は１８に記載の粒子状組成物であって、前記第２の粒子状物質の糖粒子の前記第１の粒子状物質の糖粒子に対する重量比が１：１から１：３、好ましくは６：１５である、前記粒子状組成物。
【請求項２０】
前述の請求項のうちいずれかの粒子状組成物であって、前記第１の粒子状物質の糖粒子が１つまたはそれ以上の着香料および／または着色料を含む、前記粒子状組成物。
【請求項２１】
経口摂取に適した易流動性粒子状組成物であって：
易流動性粒子相である担体相であって、前記担体相が８００μｍ未満の平均粒径を有する封入カフェイン粒子；および１００μｍから５００μｍの範囲内の平均粒径の粒子を有する糖ベースの担体成分を含む担体相；および
少なくとも８００μｍの平均粒径の粒子を有する糖ベースの滞留成分を含む滞留相を含む、前記粒子状組成物。
【請求項２２】
前述の請求項のうちいずれかの粒子状組成物の経口剤型。
【請求項２３】
請求項２２に記載の経口剤型であって、２００ｍｇまたはそれ以下のカフェインを含む、前記経口剤型。
【請求項２４】
請求項２２または２３に記載の経口剤型であって、前記剤型の総質量が０．５ｇから５ｇ、好ましくは２．５ｇから３ｇの範囲内にある、前記経口剤型。
【請求項２５】
請求項２２から２４のうちいずれか１つに記載の経口剤型であって、４００ｍｇ±４０ｍｇの封入カフェイン粒子、１５００ｍｇ±１５０ｍの第１の粒子状物質、および６００ｍｇ±６０ｍｇの第２の粒子状物質からなる、前記経口剤型。
【請求項２６】
請求項２２から２５のいずれかの経口剤型およびパッケージ材料を含むパッケージ剤型。